(57)【要約】【課題】  音量切替手段により選択されたモードに連動して、視野角を自動的に切り替えるあるいは視野角の切替要否をユーザに報知する機能を装備し、これによってユーザが周囲の状況に応じた最適な視野角で使用できる携帯通信端末装置を提供することを目的とする。【解決手段】  マナーボタン２０２が操作された場合に、スピーカ２０５の呼出音量について、通常モード及びマナーモードの切替を行うとともに、メイン表示装置１０１の視野角について、広視野モード及び狭視野モードの切替を行って、狭視野モードとマナーモードとを連動させる。また、プライバシーボタン２０３が操作された場合には、広視野モード及び狭視野モードの切替が行われるが、このようなプライバシーボタン２０３の操作は、その後の主電源の遮断及び再投入によってキャンセルされる。【選択図】  図３
2006325196.tif 000002
【特許請求の範囲】
【請求項１】
着信信号に基づいて呼出音を出力するスピーカと、
ユーザによる音量切替操作に基づいて呼出音量を制御し、通常モードをマナーモードに又はマナーモードを通常モードに切り替える音量切替手段と、
表示装置の視野角を制御し、広視野モードを狭視野モードに又は狭視野モードを広視野モードに切り替える視野切替手段とを備え、
上記視野切替手段が、呼出音量をマナーモードへ切り替える上記音量切替操作に基づいて、上記表示装置の視野角を狭視野モードへ切り替えることを特徴とする携帯通信端末装置。
【請求項２】
上記視野切替手段は、呼出音量を通常モードへ切り替える上記音量切替操作に基づいて、上記表示装置の視野角を広視野モードへ切り替えることを特徴とする請求項１に記載の携帯通信端末装置。
【請求項３】
着信信号に基づいて呼出音を出力するスピーカと、
ユーザによる音量切替操作に基づいて呼出音量を制御し、通常モードをマナーモードに又はマナーモードを通常モードに切り替える音量切替手段と、
表示装置の視野角を制御し、広視野モードを狭視野モードに又は狭視野モードを広視野モードに切り替える視野切替手段と、
呼出音量を切り替える上記音量切替操作に基づいて、上記表示装置の視野角を切り替えるか切り替えないかを選択するための選択画面を表示する選択画面表示手段とを備え、
上記視野切替手段が、上記選択画面における選択操作に基づいて、上記表示装置の視野角を切り替えることを特徴とする携帯通信端末装置。
【請求項４】
上記視野切替手段は、ユーザによる視野切替操作に基づいて、広視野モードを狭視野モードに又は狭視野モードを広視野モードに切り替えることを特徴とする請求項１から３のいずれかに記載の携帯通信端末装置。
【請求項５】
上記視野切替手段は、上記音量切替手段によって選択された呼出音量のモードに基づいて、電源の遮断又は投入時に、広視野モード又は狭視野モードのいずれかを選択することを特徴とする請求項４に記載の携帯通信端末装置。
【発明の詳細な説明】
【技術分野】
【０００１】
本発明は、携帯通信端末装置に係り、さらに詳しくは、表示装置の表示パターンが視認可能な視野角を制御可能な携帯電話機などの携帯通信端末装置に関する。
【背景技術】
【０００２】
携帯電話機のような小型軽量の携帯通信端末装置は、ポケットや鞄に入れて持ち運ぶことができるので、様々な場所において使用される。例えば、会議室、飲食店、駅のホーム、電車やバスの車中などにおいて使用されることも少なくない。その際、携帯通信端末装置の表示画面は、周辺の第三者に覗き見られるおそれがあり、ユーザのプライバシーを確保することができないという問題があった。
【０００３】
このような覗き見への対策として、携帯電話機の表示画面に貼付され、その視野角を狭小化させる狭視野フィルムが従来から知られている。しかしながら、この種の狭視野フィルムを貼付すれば、表示画面を正面から見た場合であっても画質が劣化するため、ユーザは、常時、低品質の画面表示を見なければならなくなる。また、複数人で同時に表示画面を見る場合や、机上に置かれた携帯通信端末装置の表示画面を見る場合のように、表示画面を斜めから見るような使い方はできなくなる。
【０００４】
このため、表示装置の視野角を制御することができる携帯端末装置が、従来から提案されている（例えば、特許文献１及び特許文献２）。特許文献１には、ユーザのボタン操作や、実行中のアプリケーションの種類に応じて、表示装置の視野角を制御する技術が開示されている。また、特許文献２には、撮影モード及びプレビューモードでは表示装置を広視野角に切り替え、それ以外のモードの場合には狭視野角に切り替える技術が記載されている。
【特許文献１】特開２００４−６２０９４号公報
【特許文献２】特開２００４−２３３５２７号公報
【発明の開示】
【発明が解決しようとする課題】
【０００５】
しかしながら、ユーザのキー操作によって表示装置の視野角を切り替える携帯通信端末装置の場合、視野切替のための操作が煩雑であるという問題があった。また、一般に、ユーザ自身は表示画面を正面から見ているため、現在の表示装置が狭視野モード及び広視野モードのいずれであるのかに気付きにくく、狭視野モードへの切替を忘れていたような場合であっても、ユーザがそのことに気付きにくいという問題もあった。
【０００６】
一方、アプリケーションの種類に応じて、表示装置の視野角を制御する携帯通信端末装置の場合、視野切替操作の煩雑さや、ユーザが視野切替操作を忘れるというという問題は生じない。しかしながら、周囲の状況とは無関係に視野角の切替が行われるため、周囲に第三者がいるために覗き見されやすい状況であるにもかかわらず広視野モードに切り替えられたり、逆に、周囲に誰もいない状況であるにもかかわらず、狭視野モードに切り替えられ、画質の低下が生じたり、ユーザ自身も斜めからは見ることができなくなるという問題があった。
【０００７】
本発明は上記の事情に鑑みてなされたものであり、音量切替手段により選択されたモードに連動して、視野角を自動的に切り替えるあるいは視野角の切替要否をユーザに報知する機能を装備し、これによってユーザが周囲の状況に応じた最適な視野角で使用できる携帯通信端末装置を提供することを目的とする。
【課題を解決するための手段】
【０００８】
本発明による携帯通信端末装置は、着信信号に基づいて呼出音を出力するスピーカと、ユーザによる音量切替操作に基づいて呼出音量を制御し、通常モードをマナーモードに又はマナーモードを通常モードに切り替える音量切替手段と、表示装置の視野角を制御し、広視野モードを狭視野モードに又は狭視野モードを広視野モードに切り替える視野切替手段とを備え、上記視野切替手段が、呼出音量をマナーモードへ切り替える上記音量切替操作に基づいて、上記表示装置の視野角を狭視野モードへ切り替えるように構成される。
【０００９】
通常モードは、所定の音量で呼出音をスピーカ出力させる動作モードである。マナーモードは、通常モードよりも小さな音量で呼出音をスピーカ出力させる動作モードであり、呼出音を出力させない場合も含まれる。このような通常モード及びマナーモードの切替は、音量切替手段がユーザ操作に基づいて行っている。
【００１０】
広視野モードは、所定の視野角で表示装置を閲覧可能にする動作モードであり、狭視野モードは、広視野モードよりも狭い視野角で表示装置を閲覧可能にする動作モードであり、広視野モード及び狭視野モードの切替は、視野切替手段が行っている。この視野切替手段は、音量切替手段が呼出音量を通常モードからマナーモードへ切り替えた場合に、表示装置を広視野モードから狭視野モードへ切り替える。このため、ユーザは、マナーモードへの音量切替操作を行うだけで、呼出音量をマナーモードにするとともに、表示装置を狭視野モードにすることができる。
【００１１】
また、本発明による携帯通信端末装置は、上記視野切替手段が、呼出音量を通常モードへ切り替える上記音量切替操作に基づいて、上記表示装置の視野角を広視野モードへ切り替えるように構成される。この様な構成により、ユーザは、通常モードへの音量切替操作を行うだけで、呼出音量を通常モードにするとともに、表示装置を広視野モードにすることができる。
【００１２】
また、本発明による携帯通信端末装置は、着信信号に基づいて呼出音を出力するスピーカと、ユーザによる音量切替操作に基づいて呼出音量を制御し、通常モードをマナーモードに又はマナーモードを通常モードに切り替える音量切替手段と、表示装置の視野角を制御し、広視野モードを狭視野モードに又は狭視野モードを広視野モードに切り替える視野切替手段と、呼出音量を切り替える上記音量切替操作に基づいて、上記表示装置の視野角を切り替えるか切り替えないかを選択するための選択画面を表示する選択画面表示手段とを備え、上記視野切替手段が、上記選択画面における選択操作に基づいて、上記表示装置の視野角を切り替えるように構成される。
【００１３】
この様な構成により、音量切替手段が呼出音量を切り替えた場合に、表示装置の視野角を切り替えるか切り替えないかをユーザに確認した上で、ユーザの選択操作に基づいて視野角を切り替えることができる。視野角の切替を望む場合には、音量切替操作を行った後、選択画面において視野角を切り替える旨の選択操作を行うだけで、呼出音量を切り替えるとともに、表示装置の視野角を切り替えることができる。一方、視野角の切替を望まない場合には、音量切替操作を行った後、選択画面において視野角を切り替えない旨の選択操作を行うだけで、表示装置の視野角を切り替えることなく、呼出音量を切り替えることができる。
【００１４】
また、本発明による携帯通信端末装置は、上記視野切替手段が、ユーザによる視野切替操作に基づいて、広視野モードを狭視野モードに又は狭視野モードを広視野モードに切り替えるように構成される。この様な構成により、必要に応じて、ユーザは、マナーモード時に表示装置を広視野モードへ切り替えたり、通常モード時に表示装置を狭視野モードへ切り替えることも可能となる。
【００１５】
また、本発明による携帯通信端末装置は、上記視野切替手段が、音量切替手段によって選択されたモードに基づいて、電源の遮断又は投入時に、広視野モード又は狭視野モードのいずれかを選択するように構成される。この様な構成により、電源の遮断前に行われた視野切替操作をキャンセルし、電源の投入時には、音量切替手段が選択している呼出音量のモードに応じた視野モードが選択される。つまり、呼出音量が通常モードであれば広視野モードが選択され、マナーモードであれば狭視野モードが選択される。
【発明の効果】
【００１６】
本発明による携帯通信端末装置は、呼出音量の通常モード及びマナーモードを切り替えるための音量切替操作に基づいて、表示装置の広視野モード及び狭視野モードを切り替えて、狭視野モードをマナーモードに連動させている。一般に、マナーモードは、携帯通信端末の近くにユーザ以外の第三者がいる場合に使用されることから、マナーモードと狭視野モードとを連動させることによって、特別な視野切替操作を行わなくても、周辺の状況に応じて、広視野モード及び狭視野モードを切り替えることができる。
【００１７】
また、呼出音量の通常モード及びマナーモードを切り替えるための音量切替操作に基づいて、表示装置の視野角を切り替えるか切り替えないかを選択するための選択画面を表示し、その選択画面における選択操作に基づいて視野角を切り替えるような構成とすれば、表示装置の視野角の切替要否をユーザに確認した上で、ユーザの選択操作に基づいて視野角を切り替えることができる。
【発明を実施するための最良の形態】
【００１８】
実施の形態１．
図１は、本発明の実施の形態１による携帯通信端末装置の一例を示した外観図であり、携帯電話機１の外観が示されている。この携帯電話機１は、いわゆる折り畳み式の携帯電話機であり、表示筐体１００及び操作筐体２００がヒンジ部３００を介して連結され、表示筐体１００及び操作筐体２００の一面を対向させて折り畳むことができる。
【００１９】
表示筐体１００は、折り畳み時に内側となる筐体面にメイン表示部１０１及び受話用レシーバ１０３が配置され、外側となる筐体面にサブ表示部１０２が配置されている。また、操作筐体２００は、折り畳み時に内側となる筐体面に多数の操作キー２０１及び送話用マイクロフォン２０４が配置され、外側となる筐体面にスピーカ２０５が配置されている。このような折り畳み式携帯電話機１は、コンパクトに折り畳んだ状態で携帯することができ、筐体を展開させれば、メイン表示部１０１を見ながら、操作キー２０１を操作することができる。
【００２０】
メイン表示部１０１は、一般に縦長の矩形形状からなる表示エリアを有し、この表示エリア内に個人情報を含む様々な情報が表示される。このような表示が第三者によって覗き見られるのを防止するために、メイン表示部１０１は、左右方向の視野角を可変制御することができる。ここでは、左右方向について視野角が異なる２つの視野モード、つまり、表示エリアを広視野角で閲覧させる広視野モードと、狭視野角で閲覧させる狭視野モードとを切り替えることができるものとする。
【００２１】
携帯電話機のメイン表示部１０１は、テレビ受像装置や据置型の情報端末装置に比べて表示エリアの面積が小さく、また、手に持って使用するためにユーザの目と表示エリアとの位置関係が概ね一定であることから、視野角制御に適している。また、携帯電話機は、メイン表示部１０１をある程度立てた状態で使用されることから、左右方向の視野角を狭小化させれば、覗き見を効果的に防止することができる。
【００２２】
スピーカ２０５は、呼出音やキー操作音を出力するための音声出力装置である。呼出音とは、基地局からの着信やメール受信をユーザに報知するために出力されるメロディや歌声などであり、キー操作音とは、操作キー２０１が操作されたことをユーザが確認するために出力されるクリック音である。
【００２３】
一般に、スピーカ２０５からの出力音は、周辺の第三者にとって耳障りとなる場合が多い。このため、多くの携帯電話機では、簡単なユーザ操作によって、スピーカ音量が異なる２つの音量モードを切替可能になっている。すなわち、予め設定された音量で呼出音等を出力させる通常モードと、通常モードよりも小さな音量で呼出音等を出力させるマナーモードとを切り替えることができる。なお、マナーモードでは、呼出音を出力しないことが最も望ましく、上記の小さな音量には、音声出力を行わない音量ゼロの場合も含まれる。マナーモード中に基地局からの着信やメール受信があった場合には、携帯電話機１に内蔵されている振動発生装置（図示せず）を動作させて振動を発生したり、携帯電話機１に備えられたＬＥＤ等の発光部（図示せず）を発光させたりすることにより、ユーザに対する報知を行うようになっていてもよい。
【００２４】
操作キー２０１には、スピーカ２０５の音量モードを切り替えるためのマナーボタン２０２と、メイン表示部１０１の視野モードを切り替えるためのプライバシーボタン２０３が含まれている。ユーザがマナーボタン２０２を長押しすれば、スピーカ２０５について、通常モード及びマナーモードの切替が行われる。また、ユーザがプライバシーボタン２０３を短押しすれば、メイン表示部１０１について、広視野モード及び狭視野モードの切替が行われる。
【００２５】
さらに、この携帯電話機１は、視野モードを音量モードに連動させるマナーモード連動機能を備えている。このマナーモード連動機能が有効である場合、音声モードの切替操作によって、スピーカ２０５がマナーモードになれば、メイン表示部１０１は自動的に狭視野モードとなり、スピーカ２０５が通常モードになれば、メイン表示部１０１は自動的に広視野モードとなる。
【００２６】
一般に、マナーモード及び狭視野モードは、いずれも携帯通信端末の近くにユーザ以外の第三者がいる場合に使用されることから、マナーモード及び狭視野モードは、全く異なる機能ではあるが、これらの機能が必要とされる周辺状況が概ね一致する。このため、狭視野モードをマナーモードに連動させることによって、特別な視野切替操作を行わなくても、周辺の状況に応じて、広視野モード及び狭視野モードを切り替えることができる。
【００２７】
なお、本実施の形態では、メイン表示部１０１について視野角制御を行う場合の例について説明するが、サブ表示部１０２についても、同様の視野角制御を適用できることはいうまでもない。また、本実施の形態では、左右方向の視野角を制御する場合の例について説明するが、同様にして、上下方向の視野角を制御することもできる。
【００２８】
図２は、図１の携帯電話機１の要部について内部構成の一例を示したブロック図である。主制御部４００は、携帯電話機１の主要な制御を行っているマイクロプロセッサである。
【００２９】
無線通信部４０１は、図示しない基地局との間で電波の送受信を行って、通話信号や電子メールの送受信を行っている。無線通信部４０１が基地局から受信した着信信号や電子メールは、主制御部４００へ出力される。主制御部４００は、これらの信号に基づいてスピーカ駆動部４０５を制御し、着信時やメール受信時にスピーカ２０５から呼出音が出力される。通話制御部４０２は、通話用レシーバ１０３及び通話用マイクロフォン２０４による送受話信号の入出力を制御している。
【００３０】
メイン表示部１０１は、視野切替パネル２及び表示用液晶パネル（ＬＣＤ）５により構成される。視野切替パネル２は、液晶表示装置５の前面に設けられ、その表示画面の視野角を切替制御している。メイン表示部１０１の詳細構成については更に後述する（図６〜図８）。
【００３１】
視野角コントローラ４０３は、視野切替パネル１０１に駆動信号を供給し、表示コントローラ４０４は、液晶表示装置５及びサブ表示装置１０２に駆動信号を供給している。視野角コントローラ４０３及び表示コントローラ４０４は、いずれも主制御部４００によって制御され、視野切替パネル２の視野角や、液晶表示装置５の表示情報は主制御部４００が決定している。
【００３２】
スピーカ駆動部４０５は、スピーカ２０５に駆動信号を供給している。主制御部４００は、スピーカ駆動部４０５に対し、操作キー２０１の操作時にはクリック音の出力を指示し、着信時やメール受信時には、呼出音の出力を指示する。また、スピーカ２０５の音量も主制御部４００が決定している。
【００３３】
フラグ記憶部４０６は、音量フラグｆｇ１、視野フラグｆｇ２及びマナーモード連動フラグｆｇ３を保持している。音量フラグｆｇ１は、スピーカ２０５の音量モードを示すフラグであり、主制御部４００は、この音量フラグｆｇ１に基づいて、スピーカ２０５の音量を決定している。視野フラグｆｇ２は、メイン表示部１０１の視野モードを示すフラグであり、主制御部４００は、この視野フラグｆｇ２に基づいて、メイン表示部１０１の視野角を決定している。マナーモード連動フラグｆｇ３は、マナーモード連動機能の有効又は無効を示すフラグである。
【００３４】
図３のステップＳ１０１〜Ｓ１０８は、図１の携帯電話機１におけるキー操作時の処理の一例を示したフローチャートである。この処理は、操作キー２０１から操作信号が入力された場合に、主制御部４００によって実行される。マナーボタン２０２が操作された場合、主制御部４００は、音量フラグｆｇ１を反転させて、音量モードを切り替える（ステップＳ１０１，Ｓ１０２）。すなわち、通常モードからマナーモードへ、あるいは、マナーモードから通常モードへ切り替える。
【００３５】
このとき、マナーモード連動フラグｆｇ３がオフ状態（無効）になっていれば、このキー操作時の処理を終了する（ステップＳ１０３）。マナーモード連動フラグｆｇ３がオン状態（有効）であれば、視野フラグｆｇ２を音量フラグｆｇ１に応じて切り替える（ステップＳ１０４〜Ｓ１０６）。すなわち、音量モードがマナーモードであれば、視野モードを狭視野モードとなるように、通常モードであれば広視野モードになるように、必要に応じて視野フラグｆｇ２を変更する。この様にして、マナーモード連動機能を有効にしておけば、音量切替操作を行うだけで、音量モードのみならず、視野モードの切替も行うことができる。
【００３６】
一方、マナーボタン２０２ではなく、プライバシーボタン２０３が操作された場合、主制御部４００は、視野フラグｆｇ２を反転させて、視野モードを切り替える（ステップＳ１０７，Ｓ１０８）。すなわち、広視野モードから狭視野モードへ、あるいは、狭視野モードから広視野モードへ切り替える。このようなプライバシーボタン２０３による視野切替操作は、マナーモード連動フラグｆｇ３がオン状態であっても行うことができる。つまり、マナーモード連動機能が有効であっても、ユーザはプライバシーボタン２０３を操作すれば、音量モードにかかわらず、任意の視野モードを選択することができる。
【００３７】
図４のステップＳ２０１〜Ｓ２０４は、図１の携帯電話機における主電源投入時の処理の一例を示したフローチャートである。主電源の遮断及び投入は、オンフックキーを長押しすることによって行われ、この主電源投入時の処理は、主電源の遮断状態でオンフックキーが長押しされた場合に、主制御部４００によって実行される。当該処理は、図３のステップＳ１０３〜Ｓ１０６と同様であり、マナーモード連動機能が有効であれば、視野フラグｆｇ２が音量フラグｆｇ１に応じて切り替えられる。
【００３８】
マナーモード連動機能が有効であれば、マナーボタン２０２の操作直後は、音量モードに応じた視野モードが選択されている。つまり、マナーモードであれば狭視野モード、通常モードであれば広視野モードが選択されている。ただし、その後、プライバシーボタン２０３が操作された場合には、このような関係は成り立たなくなる。
【００３９】
マナーボタン２０２の操作後にプライバシーボタン２０３が操作された後、一旦主電源が遮断されると、プライバシーボタン２０３の操作を行ったことをユーザ自身が忘れてしまう可能性が高い。この結果、主電源再投入直後は、マナーモード連動機能が有効であるにもかかわらず、マナーモードと広視野モードの組み合わせ、あるいは、通常モードと狭視野モードの組み合わせになっているが、そのことにユーザ自身が気付かないおそれがある。従って、主電源が一旦遮断されて再投入された場合には、ユーザによる例外的な操作はキャンセルされ、マナーモード連動機能による本来の状態、つまり、音量モードに応じた視野モードが選択されている状態に戻る。
【００４０】
図５は、マナーモード連動機能に関するユーザ設定手順の一例を示した図であり、メイン表示部１０１に表示される設定画面間の遷移の様子が示されている。（ａ）は、視野切替に関する設定を行うための視野切替設定画面であり、待ち受け画面の表示中に、プライバシーボタン２０３を長押しすることによって表示される。
【００４１】
マナーモード連動設定は、視野モードをマナーモードに連動させる設定のための選択肢であり、パターン設定は、狭視野モード時に表示エリア内の一部を広視野角にするパターンを変更するための選択肢である。この視野切替設定画面上でマナーモード連動設定を選択して決定キーを操作すれば、（ｂ）のマナーモード連動設定画面へ移行する。
【００４２】
ユーザは、マナーモード連動設定画面において、マナーモード連動機能を有効にする「ＯＮ」、又は、無効にする「ＯＦＦ」を選択することができる。いずれかの選択肢を選択して決定キーを操作すれば、（ｃ）又は（ｄ）の設定完了のメッセージがポップアップされた後、（ａ）の視野切替設定画面に戻る。この状態で、クリアキー又はオンフックキーを押せば、待受け画面に戻ることができる。
【００４３】
なお、図５は、主電源投入時に実行される処理として説明したが、主電源遮断時に実行される処理であってもよい。つまり、マナーモード連動機能が有効な場合、主電源の再投入後は、主電源の遮断前のプライバシーボタン２０３の操作がキャンセルされていることが望ましく、このキャンセル処理は、主電源の投入直後又は遮断直前のいずれかで行われていればよい。
【００４４】
図６は、メイン表示部１０１の一構成例を示した断面図であり、図１のＡ−Ａ断面が示されている。このメイン表示部１０１は、視野切替パネル２及び液晶表示装置５によって構成される。液晶表示装置５の表示画面上には、視野切替パネル２の表示透過面が配置されており、この表示透過面の視野角を切り替えることによって、メイン表示部１０１の視野角が切り替えられる。
【００４５】
液晶表示装置５は、表示用液晶パネル３及びバックライト４からなる周知の表示装置である。表示用液晶パネル３は、２枚の絶縁性透明基板（例えばガラス基板）３２ａ，３２ｂ間に液晶３４が封入されている。また、各基板３２ａ，３２ｂの外面には偏向板３１ａ，３１ｂがそれぞれ配置され、内面には透明電極（例えばＩＴＯ電極）３３ａ，３３ｂがそれぞれ形成されている。バックライト４は、透過型の表示用液晶パネル３に対し、背面側から光を供給する光源である。表示用液晶パネル３は、各画素電極の電位を制御して、バックライト４からの入射光を透過させるか否かを画素ごとに制御し、文字や画像を表示している。
【００４６】
一方、視野切替パネル２は、光の進行方向に応じて透過率を異ならせることによって、視野角の可変制御を実現している。この視野切替パネル２は、２枚の絶縁性透明基板（例えばガラス基板）２２ａ，２２ｂ間に液晶２４が封入され、前面側の基板２２ａの外面には偏向板２１が配置され、各基板２２ａ，２２ｂの内面には透明電極（例えばＩＴＯ電極）２３ａ，２３ｂがそれぞれ形成されている。つまり、表示用液晶パネル３の偏向板３１ａを加えれば、表示用液晶パネル３と同様の構成となる。
【００４７】
偏向板２１，３１ａは、互いに透過軸が一致するように配置されており、表示用液晶パネル３からの入射光は、液晶２４において偏向面が変動しなければ、視野切替パネル２を透過することができる。液晶２４では、透過光の光軸が正面方向となす角度に応じて、当該透過光の偏向面が回転するため、所定の視野角よりも外側に向けて液晶２４中を斜めに進む入射光は、偏向板２１において遮断される。
【００４８】
図７及び図８は、視野角制御の原理について説明するための図であり、図７は、広視野モードにおける様子を示した模式図であり、図中の（ａ）は斜視図、（ｂ）はＣ矢示図である。また、図８は、狭視野モードにおける様子を示した模式図であり、図中の（ａ）は斜視図、（ｂ）はＤ矢示図である。メイン表示部１０１は、偏向板２１，３１ａの透過軸ａ１，ａ２をともに表示画面の上下方向と一致させ、これらの偏向板２１，３１ａ間に配置された液晶分子２４ｅ（液晶２４の分子）の配向方向を制御することによって、表示画面の左右方向に関する視野角を変化させている。
【００４９】
広視野モードでは、透過軸ａ１，ａ２と平行になるように液晶分子２４ｅが配向されている（図７参照）。このとき、視野切替パネル２を正面の視点ｅ１から見た場合であっても、この視点ｅ１に対して左右方向に角度αを有する視点ｅ２から見た場合であっても、液晶分子２４ｅの方向は、透過軸ａ１，ａ２に一致して見える。従って、光の進行方向にかかわらず、表示用液晶パネル３からの入射光は、液晶２４において複屈折されず、偏向板２１を透過することができる。メイン表示部１０１の視野角は、この場合に最も広くなり、表示用液晶パネル３の視野角と一致する。
【００５０】
一方、狭視野モードでは、電極２３ａ，２３ｂ間に電界を形成して、液晶分子２４ｅを図７の状態から回転させ、透過軸ａ１，ａ２に対して角度θをなすように配向させている（図８参照）。ただし、液晶分子２４ｅは、上記回転によって前後方向に傾けられるのみであり、表示画面上への投影像は、依然として透過軸ａ１，ａ２と平行になるように保たれている。つまり、表示画面に垂直で透過軸ａ１，ａ２に平行な面内において、液晶分子２４ｅを回転させている。
【００５１】
このような狭視野モードの視野切替パネル２を正面の視点ｅ１から見れば、広視野モードの場合と同様、液晶分子２４ｅの方向は透過軸ａ１，ａ２の方向と一致しているが、視点ｅ１に対して左右方向に角度αを有する視点ｅ２から見れば、液晶分子２４ｅの方向が透過軸ａ１，ａ２と角度βをなしている。このため、視点ｅ２へ向かう光は、液晶２４において角度βに応じて偏向面が回転し、偏向板２１において減衰され、あるいは、遮断される。この角度βは、角度θ及び角度αに応じて変化するため、角度θに応じた視野角が得られる。
【００５２】
従って、視野切替パネル２の視野角は、液晶分子２４ｅが透過軸ａ１，ａ２となす角度θに応じて、リニアに変化させることができる。ただし、本実施の形態では、電極２３ａ，２３ｂを同一電位とする広視野モードと、電極２３ａ，２３ｂを異なる電位とする狭視野モードとを切替制御している。
【００５３】
実施の形態２．
実施の形態１では、マナーボタン２０２の操作による音量切替操作に連動して、視野モードを狭視野モード又は広視野モードに切り替えるような構成について説明した。これに対して、実施の形態２では、マナーボタン２０２の操作による音量切替操作が行われた場合に、視野角を切り替えるか切り替えないかを選択するための視野角選択画面を表示し、その選択画面における選択操作に基づいて、視野モードが狭視野モード又は広視野モードに切り替えられるようになっている。
【００５４】
図９のステップＳ３０１〜Ｓ３０９は、本発明の実施の形態２による携帯通信端末装置の一例である携帯電話機におけるキー操作時の処理の一例を示したフローチャートである。本実施の形態の携帯電話機は、キー操作に対して主制御部４００が行う処理が異なる点を除いて、実施の形態１の携帯電話機１と同様の構成を有している。
【００５５】
マナーボタン２０２が操作された場合、主制御部４００は、音量フラグｆｇ１を反転させて、音量モードを切り替える（ステップＳ３０１，Ｓ３０２）。すなわち、通常モードからマナーモードへ、あるいは、マナーモードから通常モードへ切り替える。このとき、マナーボタン２０２が操作される前の音量モードがマナーモードであり、マナーボタン２０２の操作に基づいてマナーモードが解除された場合には、視野モードが広視野モードとなるように、視野フラグｆｇ２が設定される（ステップＳ３０３，Ｓ３０７）。
【００５６】
一方、マナーボタン２０２が操作される前の音量モードが通常モードであり、マナーボタン２０２の操作に基づいてマナーモードが設定された場合には、視野角を切り替えるか切り替えないかを選択するための視野角選択画面をメイン表示部１０１に表示させる（ステップＳ３０３，Ｓ３０４）。
【００５７】
図１０は、視野角選択画面の一例を示した図である。視野角選択画面には、視野モードを狭視野モードに設定するための選択肢と、視野モードを広視野モードに設定するための選択肢が表示されており、狭視野モードに設定するための選択肢が予め選択された状態となっている。この視野角選択画面上で決定キーを操作すれば、狭視野モードを選択することができる。一方、広視野モードに設定するための選択肢を選択して決定キーを操作すれば、広視野モードを選択することができる。
【００５８】
視野角選択画面において狭視野モードが選択された場合には、視野モードが狭視野モードとなるように、視野フラグｆｇ２が設定される（ステップＳ３０５，Ｓ３０６）。一方、視野角選択画面において広視野モードが選択された場合には、視野モードが広視野モードとなるように、視野フラグｆｇ２が設定される（ステップＳ３０５，Ｓ３０７）。
【００５９】
この様な構成により、マナーボタン２０２の操作により音量切替操作を行った場合に、メイン表示部１０１の視野角を切り替えるか切り替えないかをユーザに確認した上で、ユーザの選択操作に基づいて視野角を切り替えることができる。視野角の切替を望む場合には、音量切替操作を行った後、視野角選択画面において視野角を切り替える旨の選択操作を行うだけで、呼出音量を切り替えるとともに、視野角を切り替えることができる。一方、視野角の切替を望まない場合には、音量切替操作を行った後、視野角選択画面において視野角を切り替えない旨の選択操作を行うだけで、視野角を切り替えることなく、呼出音量を切り替えることができる。
【００６０】
一方、マナーボタン２０２ではなく、プライバシーボタン２０３が操作された場合、主制御部４００は、視野フラグｆｇ２を反転させて、視野モードを切り替える（ステップＳ３０８，Ｓ３０９）。すなわち、広視野モードから狭視野モードへ、あるいは、狭視野モードから広視野モードへ切り替える。
【００６１】
実施の形態３．
実施の形態２では、マナーボタン２０２が操作される前の音量モードが通常モードであり、マナーボタン２０２の操作に基づいてマナーモードが設定された場合に、視野角を切り替えるか切り替えないかを選択するための視野角選択画面をメイン表示部１０１に表示させるような構成について説明した。これに対して、実施の形態３では、マナーボタン２０２が操作される前の音量モードがマナーモードであり、マナーボタン２０２の操作に基づいてマナーモードが解除された場合に、視野角選択画面が表示されるようになっている。
【００６２】
図１１のステップＳ４０１〜Ｓ４０９は、本発明の実施の形態３による携帯通信端末装置の一例である携帯電話機におけるキー操作時の処理の一例を示したフローチャートである。本実施の形態の携帯電話機は、キー操作に対して主制御部４００が行う処理が異なる点を除いて、実施の形態１の携帯電話機１と同様の構成を有している。
【００６３】
マナーボタン２０２が操作された場合、主制御部４００は、音量フラグｆｇ１を反転させて、音量モードを切り替える（ステップＳ４０１，Ｓ４０２）。すなわち、通常モードからマナーモードへ、あるいは、マナーモードから通常モードへ切り替える。このとき、マナーボタン２０２が操作される前の音量モードが通常モードであり、マナーボタン２０２の操作に基づいてマナーモードが設定された場合には、視野モードが狭視野モードとなるように、視野フラグｆｇ２が設定される（ステップＳ４０３，Ｓ４０６）。
【００６４】
一方、マナーボタン２０２が操作される前の音量モードがマナーモードであり、マナーボタン２０２の操作に基づいてマナーモードが解除された場合には、視野角を切り替えるか切り替えないかを選択するための視野角選択画面をメイン表示部１０１に表示させる（ステップＳ４０３，Ｓ４０４）。
【００６５】
このとき、視野角選択画面としては、例えば図１０に示した視野角選択画面において、狭視野モードに設定するための選択肢ではなく、広視野モードに設定するための選択肢が予め選択された状態の画面を表示させることができる。このような視野角選択画面上で決定キーを操作すれば、広視野モードを選択することができる。一方、狭視野モードに設定するための選択肢を選択して決定キーを操作すれば、狭視野モードを選択することができる。
【００６６】
視野角選択画面において狭視野モードが選択された場合には、視野モードが狭視野モードとなるように、視野フラグｆｇ２が設定される（ステップＳ４０５，Ｓ４０６）。一方、視野角選択画面において広視野モードが選択された場合には、視野モードが広視野モードとなるように、視野フラグｆｇ２が設定される（ステップＳ４０５，Ｓ４０７）。
【００６７】
一方、マナーボタン２０２ではなく、プライバシーボタン２０３が操作された場合、主制御部４００は、視野フラグｆｇ２を反転させて、視野モードを切り替える（ステップＳ４０８，Ｓ４０９）。すなわち、広視野モードから狭視野モードへ、あるいは、狭視野モードから広視野モードへ切り替える。
【００６８】
上記実施の形態２及び３では、視野角選択画面において、狭視野モードに設定するための選択肢又は広視野モードに設定するための選択肢が予め選択された状態とされるような構成について説明したが、この様な構成に限らず、狭視野モードに設定するための選択肢及び広視野モードに設定するための選択肢がいずれも予め選択されていないような構成であってもよい。この場合、狭視野モードに設定するための選択肢を選択して決定キーを操作すれば、狭視野モードを選択することができ、広視野モードに設定するための選択肢を選択して決定キーを操作すれば、広視野モードを選択することができる。
【００６９】
また、上記実施の形態２及び３では、マナーボタン２０２が操作される前の音量モードが通常モードであり、マナーボタン２０２の操作に基づいてマナーモードが設定された場合、又は、マナーボタン２０２が操作される前の音量モードがマナーモードであり、マナーボタン２０２の操作に基づいてマナーモードが解除された場合に、視野角を切り替えるか切り替えないかを選択するための視野角選択画面をメイン表示部１０１に表示させるような構成について説明したが、この様な構成に限らず、マナーボタン２０２が操作される前の音量モードとは無関係に、マナーボタン２０２の操作に基づいて視野角選択画面が表示されるようになっていてもよい。
【００７０】
変形例．
図１２は、実施の形態１〜３の変形例に係る携帯通信端末装置の構成を示した外観図であり、携帯電話機１Ａの外観が示されている。この携帯電話機１Ａの構成は、プライバシーボタン２０３の位置が異なる点を除いて、実施の形態１〜３の携帯電話機１と同様の構成を有している。
【００７１】
この変形例に係る携帯電話機１Ａでは、プライバシーボタン２０３が、操作筐体２００ではなく表示筐体１００に設けられている。より具体的には、表示筐体１００におけるメイン表示部１０１が設けられている面、好ましくはメイン表示部１０１の近傍に、プライバシーボタン２０３が配置されている。
【００７２】
メイン表示部１０１の視野角を切り替えるためのプライバシーボタン２０３は、通常、電話中には使用することがなく、ユーザがメイン表示部１０１の表示画面を見ながら操作を行うような場合に使用される。したがって、この変形例のようにプライバシーボタン２０３を表示筐体１００に設ければ、メイン表示部１０１の表示画面を見ているユーザが視野角を切り替えようと判断した場合に、メイン表示部１０１の近傍に配置されているプライバシーボタン２０３を検知しやすく、容易にかつ瞬時に視野角の切替を行うことができる。また、操作筐体２００上での操作キー２０１の集積度が緩和され、携帯電話機としての操作性が向上する。
【図面の簡単な説明】
【００７３】
【図１】本発明の実施の形態１による携帯通信端末装置の一例を示した外観図であり、携帯電話機１の外観が示されている。
【図２】図１の携帯電話機１の要部について内部構成の一例を示したブロック図である。
【図３】図１の携帯電話機１におけるキー操作時の処理の一例を示したフローチャートである。
【図４】図１の携帯電話機における主電源投入時の処理の一例を示したフローチャートである。
【図５】マナーモード連動機能に関するユーザ設定手順の一例を示した図である。
【図６】メイン表示部１０１の一構成例を示した断面図であり、図１のＡ−Ａ断面が示されている。
【図７】視野角制御の原理について説明するための図であり、広視野モードの場合を示した模式図である。
【図８】視野角制御の原理について説明するための図であり、狭視野モードの場合を示した模式図である。
【図９】本発明の実施の形態２による携帯通信端末装置の一例である携帯電話機におけるキー操作時の処理の一例を示したフローチャートである。
【図１０】視野角選択画面の一例を示した図である。
【図１１】本発明の実施の形態３による携帯通信端末装置の一例である携帯電話機におけるキー操作時の処理の一例を示したフローチャートである。
【図１２】実施の形態１〜３の変形例に係る携帯通信端末装置の構成を示した外観図であり、携帯電話機１Ａの外観が示されている。
【符号の説明】
【００７４】
１，１Ａ  携帯通信端末装置（携帯電話機）
２  視野切替パネル
３  表示用液晶パネル
４  バックライト
５  液晶表示装置
２１，３１ａ，３１ｂ  偏向板
２２ａ，２２ｂ，３２ａ，３２ｂ  絶縁性透明基板（ガラス基板）
２３ａ，２３ｂ，３３ａ，３３ｂ  透明電極
２４，３４  液晶
１０１  メイン表示部
１０２  サブ表示部
２０１  操作キー
２０２  マナーボタン
２０３  プライバシーボタン
２０５  スピーカ
４００  主制御部
４０１  無線通信部
４０３  視野角コントローラ
４０４  表示コントローラ
４０５  スピーカ駆動部
４０６  フラグ記憶部
ａ１，ａ２  透過軸
ｅ１，ｅ２  視点
ｆｇ１  音量フラグ
ｆｇ２  視野フラグ
ｆｇ３  マナーモード連動フラグ
【図１】
2006325196.tif 000003
【図２】
2006325196.tif 000004
【図３】
2006325196.tif 000005
【図４】
2006325196.tif 000006
【図５】
2006325196.tif 000007
【図６】
2006325196.tif 000008
【図７】
2006325196.tif 000009
【図８】
2006325196.tif 000010
【図９】
2006325196.tif 000011
【図１０】
2006325196.tif 000012
【図１１】
2006325196.tif 000013
【図１２】
2006325196.tif 000014